(57)【特許請求の範囲】
【請求項１】
筒状に編み立てる脚部に続けて脚部の後半部にアキレス腱覆い部となる目数減少領域を形成し、アキレス腱覆い部である目数減少領域に続けて短い筒編みによって踵上部筒編み領域を形成し、該踵上部筒編み領域に続けて目数増減領域を設けて踵後方覆い部を形成し、該踵後方覆い部である目数増減領域に続けて短い筒編みによって踵下部筒編み領域を形成し、該踵下部筒編み領域に続けて、踵前方ゆとり部となる目数増加領域を形成し、該目数増加領域に続けて足部を形成したことを特徴とする靴下。
【発明の詳細な説明】
【技術分野】
【０００１】
この発明は、筒状に編み立てる脚部に続けて脚部の後半部に編目減少領域及び編み目増加領域を配置することによって踵部分を形成する靴下の構造に関する発明である。
【背景技術】
【０００２】
図４に示すように、従来の靴下１の一般的な構造は、筒状に編み立てる脚部２の下端後半部に目数減少領域６と、目数増加領域７を配置することによって膨らみ形状である踵部４を形成し、踵部４を形成した上で筒状の足部３を編み立て、先端に爪先部５を形成している。爪先部５には、足底部先端に形成する目数減少領域及び目数増加領域のゴアライン８と開口部を閉じる縫着線９が現れる。
【先行技術文献】
【特許文献】
【０００３】
【特許文献１】特許第４１８２０２５号公報
【発明の概要】
【発明が解決しようとする課題】
【０００４】
従来の一般的な靴下の踵構造では、必ずしも踵部分の形状に一致する構造の靴下を得ることができなかった。特許文献１に記載された発明では、踵部分に短筒編み領域を配置することによって、踵部分に装飾的な編み込みを可能とするとともに、従来の靴下に比較して、足にフィットする履き心地の良い靴下を実現することができた。
【０００５】
しかしながら、必ずしも十分に足の形にフィットするものでないとともに、例えば足部に締め付け領域が設けられる場合などでは、靴下が先方に位置ズレすることを有効に防止することができなかった。このような、従来技術の欠点に鑑み、より一層踵にフィットするとともに、着用中に位置ズレを生じにくい靴下の踵部分の構造を実現することを目的とするものである。また、特許文献１に開示された靴下の装飾機能をより発展させるとともに、より機能的な靴下を実現することを目的とするものである。
【課題を解決するための手段】
【０００６】
請求項１記載の発明は、筒状に編み立てる脚部２に続けて脚部２の後半部にアキレス腱覆い部となる目数減少領域10を形成し、アキレス腱覆い部である目数減少領域10に続けて短い筒編みによって踵上部筒編み領域11を形成する。踵上部筒編み領域11に続けて目数増減領域12を設けて踵後方覆い部を形成し、該踵後方覆い部に続けて短い筒編みによって踵下部筒編み領域13を形成する。この、踵下部筒編み領域13に続けて、踵前方ゆとり部となる目数増加領域14を形成し、この目数増加領域14に続けて足部３を形成するものである。
【０００７】
請求項１記載の発明を実施する上において、踵上部筒編み領域11と踵下部筒編み領域13の間に形成する踵後方覆い部となる目数増減領域12は、目数増加領域12aと目数減少領域12bを複数回繰り返して形成することができる。
【発明の効果】
【０００８】
請求項１記載の発明によれば、筒状に編み立てる脚部２に続けて、アキレス腱覆い部となる目数減少領域10を、目数減少領域10に続けて短い筒編みによって踵上部筒編み領域11を、踵上部筒編み領域11に続けて目数増減領域12によって踵後方覆い部を形成し、踵後方覆い部である目数増減領域12に続けて踵下部筒編み領域13を、踵下部筒編み領域13に続けて、踵前方ゆとり部となる目数増加領域14を形成し、目数増加領域14に続けて足部３を形成する。この構成とすることによって、従来の靴下や、短い筒編み領域を一つ設ける特許文献１に記載された従来の靴下に比較し、足の踵部分の形状に近い形状の踵部分を備えた靴下とし、より履き心地のよい靴下を実現することができる。
【０００９】
さらに、脚部２に続く目数減少領域10をアキレス腱覆い部とし、目数減少領域10を例えばパイル編みとすることによってアキレス腱を効果的に保護する。さらに、踵部前方の目数増加領域14を踵前方ゆとり部とすることによって、靴下が前方へ移動しようとする動きを弱める効果がある。
また、模様などを編み込む際に、踵上部筒編み領域11と踵下部筒編み領域13の二つの短い筒編み領域が存在するため、この部分を利用してバリエーションにとんだ模様を実現することができる。
【００１０】
本発明を実施する上において、踵上部筒編み領域11と踵下部筒編み領域13の間に形成する踵後方覆い部となる目数増減領域12を、目数増加領域12aと目数減少領域12bを複数回繰り返して形成することによって、より踵の形状に合った形状を実現することができる。
【図面の簡単な説明】
【００１１】
【図１】図１は、本発明の実施形態を示す正面図、
【図２】図２は、図１に示す実施形態の踵部分の展開図、
【図３】図３は、図1に示す実施形態の変形実施例を示す踵部分の展開図、
【図４】図４は、従来の靴下の一例を示す正面図である。
【発明を実施するための形態】
【００１２】
以下、本発明に係る靴下の好ましい実施形態を添付の図面に基づいて説明する。
図１に示す靴下１は、上端に履き口16を形成して筒状に編み立てる脚部２に続けて、後半部に目数減少領域10を形成し、この目数減少領域10に続けて踵上部筒編み領域11を編み立て、目数増減領域12によって踵の覆い部分を形成し、目数増減領域12に続けて踵下部筒編み領域13を形成している。そして、踵下部筒編み領域13に続けて目数増加領域14を設けることによって足部の方向性などを設定し、続けて筒状の足部を編み立てている。
【００１３】
図１に示す実施形態の靴下を編み立てるには、履き口16から針釜を一定方向に回転させ、全ての編み針を編み立てに関与させることによって筒編み領域である脚部２を編み立てる。一定寸法の脚部２を編みたて、脚部２の下端に達した段階で、針釜の回転運動を往復回動運動に変更する。例えば針釜の回動角度を、略１８０度から９０度程度の範囲で順次減少させ、その範囲の編み針が編み立てに関与する状態で目数減少領域10を編み立てる。
【００１４】
目数減少領域10に続けて、１センチメートル程度の間針釜を一定方向に回転させ、全ての編み針を編み立てに関与させることによって踵上部筒編み領域11を編み立てる。踵上部筒編み領域11の編み立てが完了した段階で、針釜の回転運動を往復回動運動に変更して目数増減領域12を編み立て、目数増減領域12に続けて踵下部筒編み領域13を編み立てる。目数増減領域12は、目数の増加と減少を複数回繰り返して踵形状に合った形状を実現する。
【００１５】
目数増減領域12の目数変更は、図３(ａ)や図３(ｂ)に示すように適宜変更可能である。すなわち、図３(ａ)に示す実施形態は、踵部分の目数増減領域12を一回の目数減少領域12aと一回の目数増加領域12bで形成しているが、図３(ｂ)に示す実施形態では、目数増加領域12aと目数減少領域12bを三回繰り返して踵の目数増減領域12を形成している。
目数増減領域12に続けて編み立てた踵下部筒編み領域13に続けて、踵前方ゆとり部となる目数増加領域14を配置する。
目数増加領域14に続けて針釜を一定方向に回転させ、全ての編み針を編み立てに関与させることによって足部３を編み立てる。
【００１６】
筒状に編み立てる脚部２に続けて後半部に形成する目数減少領域10は、アキレス腱部分に相当する。したがって、この目数減少領域10をアキレス腱覆い部とする。アキレス腱覆い部は、例えば柔軟なパイル編みとしてアキレス腱を保護することができる構造とする。目数減少領域10をアキレス腱覆い部とするほか、踵の後方部分を覆う目数増減領域12や踵下部筒編み領域13に続く目数増加領域14も、柔軟なパイル編みとし、より履き心地の良い靴下を実現することができ。また、スポーツなどの用途(要求される機能)によって、筒編み領域を脚部や足部の編み方と相違する編地、例えばメッシュ編みとすることもできる。
【００１７】
目数増減領域においては、柄を編み込むことが困難であるが、筒編み領域においては柄を編み込むことが可能である。したがって、特許文献１に記載された発明によって、従来模様を編み込むことが困難であった踵部分に、具体的には短い筒編み領域に模様を編み込むことが可能となったものであるが、本発明では、短い筒編み領域が複数形成されることから、より複雑な柄19を編み込むことが可能となる。
【００１８】
目数減少領域10、目数増減領域12、目数増加領域14などの編み方を、例えばパイル編みとすることによって、アキレス腱保護などの機能を向上させることができる。同じように、短い筒編み領域11、13、も用途に合った編み方をすることができる。例えば、周方向に伸縮性を持たせることによって、締め付け効果を発揮することができる。特に、踵上部筒編み領域11と踵下部筒編み領域13を伸縮性の糸を挿入することによって踵形状に合った形状である目数増減領域12を、踵上部筒編み領域11と踵下部筒編み領域13で抱持させることができる。
すなわち、踵上部筒編み領域11と踵下部筒編み領域13に締め付け機能を付加することによって、目数増減領域12で踵部分を覆った状態を維持し、踵部分の目数増減領域12が踵から移動するのを効果的に防止し、靴下全体が足によりフィットする状態を実現することができる。この効果は、動きの激しいスポーツ用ソックスなどにおいて有効である。
このように、踵部分で靴下をしっかりと安定させると、足部に締め付け部分を配置するもの(例えば土踏まずを締め付ける健康ソックス)であっても靴下のズレをなるべく防止することができる。
【００１９】
図示実施形態の踵部分の目数増減領域は、中心位置において左右対称の状態で規則的に増減させるように図示している(図２、図３)が、目数増減領域を左右に移動させ、あるいは目数増減領域の形状そのものを左右非対称とすることによって、例えば右足用と左足用を区別し、より一層足の形に近い履き心地に優れた靴下を実現することが可能である。
【符号の説明】
【００２０】
１…靴下、  ２…脚部、  ３・・・足部、  ４・・・踵部、  ５・・・爪先部、  ６・・・目数減少領域、  ７・・・目数増加領域、  ８…ゴアライン、  ９・・・縫着線、  10・・・目数減少領域、  11・・・踵上部筒編み領域、  12・・・目数増減領域、  13…踵下部筒編み領域、  14・・・目数増加領域、  16・・・履き口。
【図１】
0005603387.tif 000002
【図２】
0005603387.tif 000003
【図３】
0005603387.tif 000004
【図４】
0005603387.tif 000005